(57)【要約】【課題】居住者が移動する照明空間を的確に照明でき、かつ制御が簡素化できる照明システム。【解決手段】照明システム４０では、寝室１２、ＷＩＣ２４、廊下２６、洗面室２８、トイレ３６及び階段ホール３８の各々の照明空間に人検知センサ５６Ａ〜５６Ｆを設ける共に、寝室１２のベッド１６Ａ、１６Ｂに睡眠センサ５８Ａ、５８Ｂを設けている。コントローラ４２は、人検知センサ５６Ａ〜５６Ｆの検知結果に基づいて、居住者が検知された照明空間及びその照明空間に隣接する照明空間の照明器具を点灯する。この際、人検知センサ５６Ｂ〜５６Ｅが居住者を検知している場合、人検知センサ５６Ａ〜５６Ｅを用い、睡眠センサ５８が就寝者を検知している場合、人検知センサ５６Ｂ〜５６Ｆを用いる。居住者が移動する照明空間を的確に照明でき、かつ制御が簡素化される。【選択図】図３
2018022566.tif 000002
【特許請求の範囲】
【請求項１】
入口空間及び就寝空間を含み、各々が他の少なくとも一つに隣接されて居住者の移動が可能とされた複数の照明空間の各々に設けられた照明器具と、
前記照明空間の各々に設けられて照明空間内の人を検知する人検知手段と、
人を検知した前記人検知手段が設けられた前記照明空間及び該照明空間に隣接された前記照明空間の各々の前記照明器具を点灯させる点灯制御手段と、を備えた照明システムであって、
前記点灯制御手段は、前記入口空間及び前記就寝空間を除く前記照明空間の前記人検知手段の何れかが人を検知している場合に、前記入口空間の前記人検知手段を除く前記人検知手段の検知結果に基づいて前記照明空間ごとの前記照明器具の点灯を制御する照明システム。
【請求項２】
前記点灯制御手段は、前記人検知手段が人を検知した場合に前記照明器具を点灯する前記照明空間が前記人検知手段ごとに設定された点灯パターン、及び前記人検知手段の検知結果に基づいて前記照明空間ごとの前記照明器具の点灯を制御する請求項１に記載の照明システム。
【請求項３】
前記就寝空間の寝台に、就寝者の睡眠状態を検出する睡眠状態検出手段が備えられ、
前記点灯制御手段は、前記睡眠状態検出手段により前記就寝空間に就寝者が検出されている場合に、前記就寝空間の前記人検知手段を除く前記人検知手段の検知結果に基づいて前記照明空間ごとの前記照明器具の点灯を制御する請求項１又は請求項２に記載の照明システム。
【請求項４】
前記入口空間を除く前記照明空間の各々の前記照明器具に、前記照明空間の各々の壁部下部に設けられた足元照明器具が含まれ、
前記点灯制御手段は、前記睡眠状態検出手段により前記就寝空間の就寝者が検出されている場合に、前記人検知手段の検知結果に基づいて前記照明空間ごとの前記足元照明器具を点灯するように制御する請求項３に記載の照明システム。
【請求項５】
前記入口空間を除く前記照明空間の各々の前記照明器具に、前記照明空間の各々の壁部下部に設けられた足元照明器具が含まれ、
前記点灯制御手段は、前記睡眠状態検出手段により前記就寝者の中途覚醒が検出されている場合に、前記就寝空間の前記足元照明器具を点灯すると共に、前記人検知手段の検知結果に基づいて前記照明空間ごとの前記足元照明器具を点灯するように制御する請求項３に記載の照明システム。
【発明の詳細な説明】
【技術分野】
【０００１】
本発明は、住宅の照明システムに関する。
【背景技術】
【０００２】
住宅などにおいては、人検知センサを設け、人検知センサの検知結果に基づいて照明器具の点灯／消灯を行うことで、人が通過する空間の照明器具を点灯できる共に、人が通過した空間の照明器具を消灯することができる。
【０００３】
人検知センサを用いて照明器具を点灯する場合、人検知センサの検知エリアに人が入ってから照明器具が点灯するまでに時間のズレ（タイムラグ）がある。また、人検知センサでは、人と検知センサとが離れている場合や、人と検知センサとの間に障害物がある場合、人の検知が困難となる。このため、移動している人を人検知センサによって検知して照明器具を点灯しようとすると、人が通り過ぎた後に照明器具が点灯したり、人の通過途中で消灯したりすることがある。
【０００４】
ここで、特許文献１には、各々が消灯、常夜灯点灯、及び通常点灯に切り替えられる親機及び子機を用い、２つの親機の間に子機を配置される連動型照明器具が記載されている。この連動型照明器具では、一方の親機が人を検知すると通常点灯すると共に、子機及び他方の親機も通常点灯される。また、一方の親機が人を検知しなくなって、他方の親機が人を検知すると、通常点灯から常夜灯点灯に切り替わると共に、子機及び他方の親機も常夜灯点灯に切り替わるようにしている。
【先行技術文献】
【特許文献】
【０００５】
【特許文献１】特開２０１３−２４６９８２号公報
【発明の概要】
【発明が解決しようとする課題】
【０００６】
ところで、住宅などにおいて居住者が通過又は入る照明空間としては、階段のみでなく、廊下や廊下に隣接する複数の空間があり、一つの空間から他の空間へ移動する場合の居住者の移動経路が一つであるとは限らず、また、居住者が、移動途中で逆戻りすることもある。照明空間を居住者の移動に合わせて照明するためには、連動される照明器具の組み合わせなどを変更することが考えられるが、特許文献１の構成では、連動される照明器具の組み合わせを変更する場合に、照明器具への配線或いは照明器具間の配線を変更する必要があり、建物の配線廻りの改修が必要となる。
【０００７】
別の方法で居住者の移動に合わせて照明器具を点灯可能とする方法としては、照明空間の各々に照明器具及び人検知センサを設けて、照明器具及び人検知センサの各々に予め配線をしておく方法が考えられる。しかし、この場合、照明器具の点灯制御が複雑となってしまう。
【０００８】
本発明は上記事実に鑑みてなされたものであり、各々に照明器具が設けられた複数の照明空間を居住者の移動に合わせて的確に照明でき、かつ制御を簡素化できる照明システムを提供することを目的とする。
【課題を解決するための手段】
【０００９】
上記目的を達成するための第１の態様は、入口空間及び就寝空間を含み、各々が他の少なくとも一つに隣接されて居住者の移動が可能とされた複数の照明空間の各々に設けられた照明器具と、前記照明空間の各々に設けられて照明空間内の人を検知する人検知手段と、人を検知した前記人検知手段が設けられた前記照明空間及び該照明空間に隣接された前記照明空間の各々の前記照明器具を点灯させる点灯制御手段と、を備えた照明システムであって、前記点灯制御手段は、前記入口空間及び前記就寝空間を除く前記照明空間の前記人検知手段の何れかが人を検知している場合に、前記入口空間の前記人検知手段を除く前記人検知手段の検知結果に基づいて前記照明空間ごとの前記照明器具の点灯を制御する。
【００１０】
第１の態様では、就寝空間を含む複数の照明空間が配列されており、少なくとも一つの照明空間が入口空間に隣接されている。また、照明空間の各々は、少なくとも一つの他の照明空間に隣接されており、隣接されている照明空間の間を居住者が移動可能となっている。照明空間の各々には、人検知手段が設けられており、人検知手段により照明空間の各々において居住者が検知可能となっている。また、照明空間の各々には、照明器具が設けられている。
【００１１】
点灯制御手段には、照明器具及び人検知手段の各々が接続されており、点灯制御手段は、居住者を検知している人検知手段が設けられた照明空間の照明器具、及びその照明空間に隣接された照明空間の照明器具の各々を点灯させる。これにより、居住者の居る照明空間及び居住者が居る照明空間に隣接する照明空間の各々の照明器具が点灯されるので、居住者が何れの照明空間に移動する場合にも、移動先の照明空間が的確に照明される。
【００１２】
また、点灯制御手段は、就寝空間及び入口空間を除く照明空間の何れかの人検知手段が、その照明空間に居る居住者を検知している場合、入口空間の人検知手段を除く人検知手段の各々の検知結果に基づいて照明器具を点灯させる。即ち、点灯制御手段は、照明器具を点灯させるための人検知手段の数を減らしている。
【００１３】
複数の人検知手段の検知結果に基づいて照明器具の点灯を制御する点灯制御手段としては、ＣＰＵを備えるマイクロコンピュータを用いることができる。このような点灯制御手段において、演算処理を行うときの人検知手段の検知結果の組み合わせ（パターン）は、人検知手段の数が次数なる数となっており、人検知手段の数が多いと、演算処理が複雑になり点灯制御手段（マイクロコンピュータ）の処理負荷が増加し、処理時間が長くなる。
【００１４】
ここで、就寝空間及び入口空間を除く照明空間の人検知センサの何れかが人を検知している場合には、入口空間の人検知手段が除かれる分、点灯制御手段の演算処理の対象となる人検知手段の数が減るので、処理負荷が軽減されると共に処理時間が短縮される。従って、各々に照明器具が設けられた複数の照明空間を居住者の移動に合わせて的確に照明でき、かつ制御を簡素化できる。
【００１５】
第２の態様は、第１の態様において、前記点灯制御手段は、前記人検知手段が人を検知した場合に前記照明器具を点灯する前記照明空間が前記人検知手段ごとに設定された点灯パターン、及び前記人検知手段の検知結果に基づいて前記照明空間ごとの前記照明器具の点灯を制御する。
【００１６】
第２の態様では、人検知手段が居住者を検知した場合に照明器具を点灯させる照明空間を設定した点灯パターンを人検知手段ごとに予め設定している。点灯制御手段は、何れかの人検知手段が、居住者を検知すると、その人検知手段に対応する点灯パターンに基づいて照明器具を点灯させる照明空間を設定し、設定した照明空間の照明器具を点灯させる。これにより、人検知手段の検知結果に基づいて照明空間ごとの照明器具を点灯させるための制御をより簡素化でき、かつ、複数の照明空間を居住者の移動に合わせて的確に照明できる。
【００１７】
第３の態様は、第１又は第２の態様において、前記就寝空間の寝台に、就寝者の睡眠状態を検出する睡眠状態検出手段が備えられ、前記点灯制御手段は、前記睡眠状態検出手段により前記就寝空間に就寝者が検出されている場合に、前記就寝空間の前記人検知手段を除く前記人検知手段の検知結果に基づいて前記照明空間ごとの前記照明器具の点灯を制御する。
【００１８】
第３の態様では、就寝空間に設けられる居住者の就寝用の寝台に、睡眠状態検出手段を設けている。睡眠状態検出手段が検出する睡眠状態には、寝台に就寝した居住者（就寝者）の睡眠状態に加え、就寝者が就寝するために寝台に入床しているかを検出できる。
【００１９】
睡眠状態検出手段が居住者の入床を検出している場合、居住者が就寝空間に居ることが明らかであるので、就寝空間に設けている人検知手段が不要となるので、点灯制御手段は、就寝空間に設けている人検知手段を除いた人検知手段の検知結果を用いて照明器具の点灯を制御する。これにより、睡眠状態検出手段を設けた場合でも、就寝空間の人検知手段が除かれる分、制御が複雑となるのを抑制できて、複数の照明空間を居住者の移動に合わせて的確に照明できる。
【００２０】
第４の態様は、第３の態様において、前記入口空間を除く前記照明空間の各々の前記照明器具に、前記照明空間の各々の壁部下部に設けられた足元照明器具が含まれ、前記点灯制御手段は、前記睡眠状態検出手段により前記就寝空間の就寝者が検出されている場合に、前記人検知手段の検知結果に基づいて前記照明空間ごとの前記足元照明器具を点灯するように制御する。
【００２１】
第４の態様では、照明空間の各々の壁面下部に足元照明器具を設けており、足元照明器具は、居住者の足元を照明できると共に、寝台に就寝している居住者の睡眠を妨げるのを抑制できる。点灯制御手段は、睡眠状態検出手段により居住者が寝台に就寝していると検出されている場合、人検知手段の検知結果に基づいて足元照明器具を点灯させる。従って、就寝空間の寝台で就寝している就寝者の睡眠を妨げることなく、居住者の移動に合わせて照明空間を的確に照明できる。
【００２２】
第５の態様は、第３の態様において、前記入口空間を除く前記照明空間の各々の前記照明器具に、前記照明空間の各々の壁部下部に設けられた足元照明器具が含まれ、前記点灯制御手段は、前記睡眠状態検出手段により前記就寝者の中途覚醒が検出されている場合に、前記就寝空間の前記足元照明器具を点灯すると共に、前記人検知手段の検知結果に基づいて前記照明空間ごとの前記足元照明器具を点灯するように制御する。
【００２３】
第５の態様では、睡眠状態検出手段により就寝者（就寝中の居住者）の中途覚醒が検出された場合に、就寝空間の足元照明器具を点灯させる。また、中途覚醒した居住者の移動が人検知手段により検知された場合に、検知結果に基づいて足元照明器具を点灯する。足元照明器具は、照明空間の壁面下部に設けられて床面（足元）を照明するので、点灯されても居住者が眩しく感じることがない。従って、中途覚醒した就寝者は、眩しさを感じることなく。就寝空間から他の照明空間の間を移動できる。
【発明の効果】
【００２４】
以上説明したように第１の態様によれば、就寝空間及び入口空間居を除く照明空間の人検知手段が居住者を検知している場合に、入口空間を除く照明空間の人検知手段の検知結果を用いるので、各々に照明器具が設けられた複数の照明空間を居住者の移動に合わせて的確に照明でき、かつ制御を簡素化できる、という効果を有する。
【００２５】
第２の態様によれば、人検知手段ごとに居住者を検知した場合に照明器具を点灯する照明空間の点灯パターンを用いるので、各々に照明器具が設けられた複数の照明空間を居住者の移動に合わせて的確に照明でき、かつ制御をより簡素化できる、という効果を有する。
【００２６】
第３の態様によれば、睡眠状態検出手段を設けた場合に、点灯制御手段の処理負荷が増加するのを抑制できて、かつ居住者の移動先の照明空間を的確に照明できる、という効果を有する。
【００２７】
第４の態様によれば、就寝中の居住者の睡眠が妨げられるのを防止できる、という効果を有する。また、第５の態様によれば、中途覚醒した就寝者が照明空間を移動する場合に眩しく感じるのを防止できる、という効果を有する。
【図面の簡単な説明】
【００２８】
【図１】本実施の形態に係る住宅の主要部の間取りを示す平面図である。
【図２】図１に示す住宅の人検知センサの配置を示す平面図である。
【図３】本実施の形態に係る照明システムの概略構成を示すブロック図である。
【図４】人検知センサごとの検知結果に対応する照明器具の点灯パターンを示す図表である。
【図５】照明システムにおける処理の概略を示す流れ図である。
【図６】人検知センサ及び睡眠センサの検知結果の組み合わせを示す図表であり、睡眠センサが就寝者を検出していない場合を示している。
【図７】（Ａ）〜（Ｃ）は、人検知センサ及び睡眠センサの検知結果の組み合わせを示す図表であり、（Ａ）及び（Ｂ）は睡眠センサの一つが就寝者を検出している場合を示し、（Ｃ）は両方の睡眠センサが就寝者を検出している場合を示している。
【発明を実施するための形態】
【００２９】
以下に図面を参照して、本発明の実施の形態を詳細に説明する。図１及び図２には、本実施の形態に係る住宅１０の主要部の間取りが平面図にて示されている。なお、図１には、照明器具の配置が示されており、図２には、人検知センサの配置が示されている。
【００３０】
図１及び図２に示されるように、住宅１０には、照明空間及び就寝空間としての寝室１２が設けられており、寝室１２は、周囲が壁部１４Ａ、１４Ｂ、１４Ｃ、１４Ｄにより囲われている。壁部１４Ａ、１４Ｂは、住宅１０の屋外（外壁）側とされており、寝室１２は、壁部１４Ａに壁部１４Ｃが対向されていると共に、壁部１４Ｂに壁部１４Ｄが対向されている。
【００３１】
寝室１２には、寝台としての２台のベッド１６が設けられている。ベッド１６は、寝室１２の中央部に並べて配置されており、一方のベッド１６Ａが壁部１４Ｄ側とされ、他方のベッド１６Ｂが壁部１４Ｂ側とされている。また、ベッド１６Ａ、１６Ｂは、長手方向が壁部１４Ｂ、１４Ｄに沿う方向とされて、ヘッドボード１８側が壁部１４Ａ側に寄せられている。これにより、寝室１２は、２人の居住者が並んで就寝可能とされている。なお、以下の説明では、ベッド１６に就寝している居住者を、特に就寝者として表記して説明する。
【００３２】
寝室１２の壁部１４Ｃには、ベッド１６Ａ側に扉２０Ａが設けられている共に、ベッド１６Ｂ側に扉２０Ｂが設けられている。また、住宅１０には、寝室１２の壁部１４Ｃに隣接して照明空間としての前室２２を含むウォークインクローゼット（ＷＩＣ）２４（以下、総称してＷＩＣ２４という）が設けられている。寝室１２は、扉２０Ａ又は扉２０Ｂが開かれることでＷＩＣ２４に入退室可能とされていると共に、扉２０Ａ、２０Ｂが閉じられることでＷＩＣ２４との間が遮光される。
【００３３】
また、住宅１０には、照明空間としての廊下２６及び洗面室２８が設けられている。廊下２６及び洗面室２８は、互いに隣接されて、かつＷＩＣ２４の寝室１２とは反対側においてＷＩＣ２４に隣接されている。ＷＩＣ２４と廊下２６との間には、扉３０Ａが設けられており、ＷＩＣ２４と洗面室２８との間には、扉３０Ｂが設けられている。また、廊下２６と洗面室２８との間には、扉３０Ｃが設けられている。住宅１０は、扉３０Ａを開けることでＷＩＣ２４と廊下２６との間を移動でき、扉３０Ｂを開けることでＷＩＣ２４と洗面室２８との間を移動でき、扉３０Ｃを開けることで廊下２６と洗面室２８との間を移動できる。なお、住宅１０には、ランドリールーム３２及び浴室３４が設けられており、洗面室２８からランドリールーム３２及び浴室３４へ移動可能となっている。
【００３４】
さらに、住宅１０には、照明空間としてのトイレ３６及び入口空間としての階段ホール３８が設けられており、トイレ３６及び階段ホール３８は、洗面室２８とは反対側において廊下２６に隣接されている。廊下２６とトイレ３６との間には、扉３６Ａが設けられており、扉３６Ａを開けることで、廊下２６からトイレ３６に出入り可能となっている。また、階段ホール３８は、廊下２６に連通されている。
【００３５】
ところで、住宅１０では、寝室１２、ＷＩＣ２４、廊下２６、洗面室２８、トイレ３６及び階段ホール３８が照明管理領域とされており、住宅１０には、照明管理領域の照明を制御する照明システム４０が設けられている。図３には、照明システム４０の概略構成がブロック図にて示されている。
【００３６】
照明システム４０には、点灯制御手段としてのコントローラ４２が設けられている。コントローラ４２は、マイクロコンピュータ（図示省略）を備えており、マイクロコンピュータは、ＣＰＵ、ＲＯＭ、ＲＡＭ、不揮発性メモリ（例えばＥＥＰＲＯＭ、ＰＲＯＭなど）、及び入出力ポートを有し、これらがバスによって接続された一般的構成とされている。照明システム４０では、コントローラ４２のＣＰＵがＲＯＭ及び不揮発性メモリに記憶されたプログラムを読み出して実行することで、照明管理領域において照明器具の点灯を制御する点灯制御手段として機能する。
【００３７】
図１に示されるように、寝室１２には、照明器具としての直付ライト４４（４４Ａ、４４Ｂ）及び足元照明器具としてのフットライト４８（４８Ａ、４８Ｂ）が設けられている。寝室１２には、壁部１４Ｂと壁部１４Ｄとの間の中央部分に下がり天井４６が設けられており、下がり天井４６は、壁部１４Ａと壁部１４Ｃとに跨って形成されている。下がり天井４６の上面には、ベッド１６Ａ側に複数の直付ライト４４Ａが配列されており、ベッド１６Ｂ側に複数の直付ライト４４Ｂが配列されている。直付ライト４４は、天井面に光を照射する間接照明を構成しており、直付ライト４４Ａが点灯されることで主にベッド１６Ａ側が照明され、直付ライト４４Ｂが点灯されることで主にベッド１６Ｂ側が照明される。なお、直付ライト４４（４４Ａ、４４Ｂ）は、間接照明を構成するものに限らず、直接照明を構成するものであっても良く、寝室１２の照明器具は、直付けに限らず埋め込み器具などの任意の器具を適用できる。
【００３８】
直付ライト４４（４４Ａ、４４Ｂ）としては、光源して蛍光灯又は電球（白熱灯）が用いられた一般的構成を適用できるが、本実施の形態では、各々が複数のＬＥＤが配列されたＬＥＤ照明器具が適用されている。ＬＥＤが用いられた直付ライト４４Ａ、４４Ｂは、ＬＥＤの発光が制御されることで、明るさ及び色温度が変更可能となっている。
【００３９】
フットライト４８は、フットライト４８Ａがベッド１６Ａの下部及びベッド１６Ａ側の壁部１４Ｃ、１４Ｄの下部に設けられて、フットライト４８Ｂがベッド１６Ｂの下部及びベッド１６Ｂ側の壁部１４Ｂ、１４Ｃの下部に設けられている。寝室１２は、フットライト４８Ａが点灯されることにより、ベッド１６Ａ側の床面が照明され、フットライト４８Ｂが点灯されることにより、ベッド１６Ｂ側の床面が照明される。また、フットライト４８Ａ、４８Ｂは、就寝者の睡眠を妨げない仄暗い明るさ（薄暗い明るさ）で点灯されて、ベッド１６Ａ、１６Ｂの周囲の床面を、就寝者の歩行に支障のない明るさに照明する。
【００４０】
図３に示されるように、直付ライト４４（４４Ａ、４４Ｂ）、及びフットライト４８（４８Ａ、４８Ｂ）は、コントローラ４２に接続されており、コントローラ４２により各々の点灯が制御可能にされている。コントローラ４２は、就寝者が寝室１２で就寝する時間帯において、直付ライト４４Ａ、４４Ｂ及びフットライト４８Ａ、４８Ｂの点灯を制御する。なお、直付ライト４４Ａ、４４及びフットライト４８Ａ、４８Ｂは、コントローラ４２の非制御状態では、寝室１２に設けられている図示しないスイッチが操作されることにより点灯及び消灯が可能とされている。
【００４１】
図１に示されるように、ＷＩＣ２４、廊下２６、及び洗面室２８の各々には、照明器具としてのダウンライト５０（５０Ａ〜５０Ｃ）及び足元照明器具としてのフットライト５２（５２Ａ〜５２Ｃ）が設けられており、トイレ３６には、照明器具としてダウンライト５４が設けられている。ＷＩＣ２４には、ダウンライト５０ＡがＷＩＣ２４の平面形状に合わせられた略Ｌ字状に配列されて天井面に取り付けられており、ダウンライト５０Ａが点灯されることでＷＩＣ２４内が照明される。また、ＷＩＣ２４には、寝室１２側の壁部１４Ｃ下部にフットライト５２Ａが設けられており、フットライト５２Ａが点灯されることでＷＩＣ２４の床面（足元）が照明される。
【００４２】
廊下２６には、浴室３４側の天井面及び階段ホール３８側の天井面にダウンライト５０Ｂが設けられており、ダウンライト５０Ｂが点灯されることで廊下２６内が照明される。また、廊下２６には、浴室３４側の壁面の下部にフットライト５２Ｂが設けられており、フットライト５２Ｂが点灯されることで、廊下２６の床面（足元）が照明される。
【００４３】
洗面室２８には、ＷＩＣ２４側の天井面にダウンライト５０Ｃが設けられており、ダウンライト５０Ｃが点灯されることで洗面室２８内が照明される。また、洗面室２８には、洗面室２８の廊下２６側の壁面下部にフットライト５２Ｃが設けられており、フットライト５２Ｃが点灯されることにより洗面室２８の床面（足元）が照明される。
【００４４】
トイレ３６のダウンライト５４は、トイレ３６の天井面に設けられており、ダウンライト５４が点灯されることによりトイレ３６内が照明される。また、ダウンライト５４は、明るさが変更可能な調光式とされている。なお、本実施の形態では、照明器具としてダウンライト５０（５０Ａ〜５０Ｃ）、５４を設けているが、照明器具は、ダウンライトに限らず、シーリングライトなどの任意の照明器具を適用できる。また、洗面室２８には、ダウンライト５０Ｃとは別に照明器具が設けられており、ランドリールーム３２、浴室３４、及び階段ホール３８の各々にも照明器具が設けられているが、本実施の形態では、これらの照明器具の図示及び説明を省略している。
【００４５】
図３に示されるように、ダウンライト５０（５０Ａ〜５０Ｃ）、５４及びフットライト５２（５２Ａ〜５２Ｃ）の各々は、コントローラ４２に接続されている。コントローラ４２は、居住者が就寝する時間帯においてダウンライト５０、５４及びフットライト５２の点灯を制御する。また、コントローラ４２は、ダウンライト５４の点灯を制御する際に、ダウンライト５４の出力（明るさ）の制御も行う。なお、ダウンライト５０、５４の各々は、コントローラ４２の非制御状態では、図示しないスイッチが操作されることにより点灯及び消灯可能とされている。
【００４６】
一方、図２に示されるように、照明管理領域内の各照明空間には、人検知手段としての人検知センサ５６（５６Ａ〜５６Ｆ）が設けられている。人検知センサ５６は、赤外線及び赤外線の変化から人（居住者）を検知するパッシブ型赤外線センサが用いられており、天井面に取り付けられている。なお、図２には、人検知センサ５６の各々の検知範囲が二点鎖線で示されている。
【００４７】
寝室１２には、壁部１４Ａと壁部１４Ｂとの角部に人検知センサ５６Ａが設けられている。人検知センサ５６Ａは、扉２０Ａ、２０Ｂを開けて入退室する居住者（就寝者）及びベッド１６Ａ、１６Ｂの就寝者を含む寝室１２内の居住者が検知可能となっている。また、ＷＩＣ２４には、ＷＩＣ２４の壁部１４Ｃ近傍に人検知センサ５６Ｂが設けられている。人検知センサ５６Ｂは、扉２０Ａ、２０Ｂを開けて寝室１２から入退室する居住者、洗面室２８側の扉３０ＢからＷＩＣ２４に入退室する居住者、及び廊下２６側の扉３０ＡからＷＩＣ２４に入退室する居住者が検知可能となっている。
【００４８】
廊下２６には、廊下２６の浴室３４側の天井面に人検知センサ５６Ｃが設けられている。人検知センサ５６Ｃは、扉３０Ａ、３０Ｃ、扉３６Ａ、及び階段ホール３８から廊下２６に入退室する居住者を検知可能となっている。また、洗面室２８には、洗面室２８のＷＩＣ２４側の天井面に人検知センサ５６Ｄが設けられている。人検知センサ５６Ｄは、廊下２６側の扉３０Ｃ、ＷＩＣ２４側の扉３０Ｂ、及びランドリールーム３２から洗面室２８に入退室する居住者を検知可能となっている。さらに、トイレ３６には、天井面に人検知センサ５６Ｅが設けられており、人検知センサ５６Ｅがトイレ３６に入室している居住者を検知可能となっている。また、階段ホール３８には、廊下２６とは反対側の壁部近傍の天井面に人検知センサ５６Ｆが設けられている。人検知センサ５６Ｆは、廊下２６と階段ホール３８との間を移動する居住者を含む階段ホール３８を通過する居住者を検知可能となっている。
【００４９】
図３に示されるように、人検知センサ５６（５６Ａ〜５６Ｆ）の各々は、コントローラ４２に接続されている。また、コントローラ４２には、睡眠状態検出手段として睡眠センサ５８（５８Ａ、５８Ｂ）、及び設定手段としての目覚ましタイマ６０（６０Ａ、６０Ｂ９が接続されている（何れも図１及び図２では図示省略）。睡眠センサ５８は、ベッド１６Ａ、１６Ｂの各々に設けられており、睡眠センサ５８を区別する場合、ベッド１６Ａ側を睡眠センサ５８Ａとし、ベッド１６Ｂ側を睡眠センサ５８Ｂとする。また、目覚ましタイマ６０は、ベッド１６Ａ、１６Ｂの各々に設けられており、目覚ましタイマ６０を区別する場合、ベッド１６Ａ側を目覚ましタイマ６０Ａとし、ベッド１６Ｂ側を目覚ましタイマ６０Ｂとする。
【００５０】
睡眠センサ５８（５８Ａ、５８Ｂ）は、図示しない複数の検出素子を備えており、検出素子がベッド１６に配置されている。検出素子としては、ベッド１６の複数の脚部の各々に取り付けられて、ベッド１６の脚部が就寝者から受ける荷重、圧力及びこれらの変化（体動）を、ベッド１６の就寝者の就寝状態情報として検出する。また、検出素子としては、就寝者が横臥するベッド１６のマットに配置されて、就寝者の体動、就寝者の脈拍、及び就寝者の脳波の少なくとも一つを就寝状態情報として検出する構成であっても良い。
【００５１】
就寝者は、ベッド１６に入床して睡眠し、就寝者が起床する（目覚める）までの睡眠中は、浅い眠りと深い眠りとが繰り返されており、睡眠中に浅い眠りから覚醒（途中覚醒）することがある。睡眠センサ５８は、検出素子により検出される就寝状態情報から、就寝者がベッド１６に入床しているか、就寝者が覚醒している状態（覚醒中）か、就寝している状態（睡眠中）か又は離床したかを判定する。また、睡眠センサ５８は、就寝者が睡眠中である場合、眠りが深いか浅いかを判定すると共に、睡眠途中において就寝者が覚醒（途中覚醒）したか否かの判定も行う。睡眠センサ５８は、判定した就寝者の睡眠状態を示す信号をコントローラ４２に出力する。
【００５２】
このような睡眠センサ５８としては、ベッド１６に就寝者が入床しているか否か、入床した就寝者が睡眠中か否か、睡眠が深いか浅いか、及び途中覚醒したか否かなどを検出し得るものであれば任意の構成を適用できる。また、睡眠センサ５８は、例えば、特開２０１６−５９５９６号公報の睡眠管理装置に用いられている生体情報検出センサ及び生体情報検出センサから取得される生体情報から睡眠状態を判定する制御部を適用できる。
【００５３】
目覚ましタイマ６０（６０Ａ、６０Ｂ）は、ベッド１６（１６Ａ、１６Ｂ）の各々のヘッドボード１８近傍に配置されている。目覚ましタイマ６０には、就寝者により起床時刻としての目覚まし時刻（起床時刻）が設定されるようになっており、目覚ましタイマ６０は、就寝者により目覚まし時刻が設定されると、設定された時刻（目覚まし時刻）に目覚まし音を発して就寝者に起床を促す。また、コントローラ４２には、目覚ましタイマ６０において設定された目覚まし時刻が入力される。
【００５４】
照明システム４０は、居住者の就寝する時間帯などの予め定められた時間帯においてコントローラ４２が人検知センサ５６Ａ〜５６Ｆの検知結果、睡眠センサ５８により検出される就寝者の睡眠状態、及び目覚ましタイマ６０に設定された起床時刻に応じて各照明器具を制御する。なお、以下の説明において、直付ライト４４（４４Ａ、４４ｂ）、フットライト４８（４８Ａ、４８Ｂ）、５２（５２Ａ〜５２Ｃ）、及びダウンライト５０（５０Ａ〜５０Ｃ）、５４を総称する場合、照明器具と表記する。
【００５５】
コントローラ４２は、人検知センサ５６（５６Ａ〜５６Ｆ）の検知結果から居住者を検出している照明空間の人検知センサ５６を特定する。また、コントローラ４２は、睡眠センサ５８Ａ、５８Ｂにより検出される就寝者の睡眠状態からベッド１６Ａ、１６Ｂに就寝者が入床しているか否かを特定する。この際、コントローラ４２は、人検知センサ５６Ｂ〜５６Ｅの何れかが居住者を検出していると、人検知センサ５６Ｆからの信号の読み込みを省略し、睡眠センサ５８Ａ、５８Ｂの何れかが就寝者を検出していると、人検知センサ５６Ａからの信号の読み込みを省略する。
【００５６】
また、照明システム４０では、人検知センサ５６が居住者を検出した照明空間及び当該照明空間に隣接した照明空間の各々の照明器具を点灯させる。図４には、人検知センサ５６が設けられた照明空間ごとに、その照明空間の人検知センサ５６が人を検知した場合に照明器具を点灯（ＯＮ）させる照明空間、及び消灯状態（ＯＦＦ）とする照明空間とが一覧にて示されている。
【００５７】
図４に示されるように、照明システム４０では、例えば、階段ホール３８の人検知センサ５６Ｆが居住者を検知すると、階段ホール３８に隣接する照明空間である廊下２６の照明器具（ダウンライト５０Ｂ又はフットライト５２Ｂ）が点灯（ＯＮ）される。また、照明システム４０では、廊下２６の人検知センサ５６Ｃが人を検知すると、廊下２６及び廊下２６に隣接する照明空間であるＷＩＣ２４、洗面室２８及びトイレ３６の照明器具（ダウンライト５０Ａ、５０Ｂ、５０Ｃ、５４又はフットライト５２Ａ、５２Ｂ、５２Ｃとダウンライト５４）が点灯される。さらに、寝室１２の人検知センサ５６Ａが人を検知している場合、寝室１２及びＷＩＣ２４の照明器具（直付ライト４４とダウンライト５０Ａ、又はフットライト４８、５２Ａ）が点灯される。
【００５８】
コントローラ４２には、点灯パターン（図４の点灯パターン）が記憶されており、人検知センサ５６の検知結果と点灯パターンとに基づき、照明器具を点灯する照明空間を設定する。コントローラ４２は、複数の人検知センサ５６が居住者を検知している場合、各々の検知結果に基づいて、照明器具を点灯させる照明空間を設定し、設定した照明空間の照明器具を点灯する。この際、コントローラ４２は、睡眠センサ５８Ａ、５８Ｂの何れかが寝室１２に就寝者が入床していると検出している場合、フットライト４８、５２を点灯させ、睡眠センサ５８Ａ、５８Ｂの何れも就寝者を検出していない場合、直付ライト４４又はダウンライト５０を点灯させる。
【００５９】
以下に本実施の形態の作用として、照明システム４０の動作として照明空間の各々の照明器具の点灯を説明する。照明システム４０は、寝室１２において居住者の就寝する前から起床するまでの就寝時間帯において照明管理領域内の照明空間の照明を制御する。なお、就寝時間帯における就寝する前の時刻は、予め設定された時刻を適用でき、起床時刻は、予め設定された時刻又は目覚ましタイマ６０により設定される起床時刻を適用できる。
【００６０】
図５には、コントローラ４２により就寝時間帯において繰り返し実行される処理の概略が示されている。コントローラ４２は、最初のステップ１００において、人検知及び就寝検知を行う。即ち、ステップ１００では、人検知センサ５６の各々の検知結果を読み込み、何れかの照明空間に居住者がいるか否かを検知すると共に、睡眠センサ５８の各々の検出状態を読み込み、ベッド１６に居住者が入床しているか否かを検出する。また、ステップ１００では、睡眠センサ５８の検出状態から就寝者がベッド１６に入床している場合の睡眠状態を検出する。
【００６１】
ここで、人検知センサ５６Ａ〜５６Ｆの何れかが居住者を検知しているか、睡眠センサ５８Ａ、５８Ｂがベッド１６Ａ、１６Ｂの何れかに就寝者が入床していると検出していると、ステップ１０２において肯定判定されてステップ１０４へ移行する。このステップ１０４では、人検知センサ５６の検出結果、睡眠センサ５８により検出される睡眠状態、及び予め設定されている点灯パターンに基づいて、照明器具を点灯される照明空間、及び照明器具を設定する。即ち、照明管理領域内において点灯する照明器具を設定する。この後、ステップ１０６では、設定した照明器具が点灯するように制御する。
【００６２】
これにより、例えば、寝室１２のベッド１６Ａ、１６Ｂの何れにも就寝者が検出されずに、階段ホール３８の人検知センサ５６Ａが、寝室１２へ向かう人を検知すると、コントローラ４２は、階段ホール３８に隣接する廊下２６の照明器具を点灯するように設定して、廊下２６のダウンライト５０Ｂを点灯させる。
【００６３】
また、人検知センサ５６Ｆで検知されていた居住者が廊下２６に移動して、人検知センサ５６Ｃにより検知されると、コントローラ４２は、廊下２６、ＷＩＣ２４、洗面室２８及びトイレ３６の照明器具を点灯するように設定する。これにより、廊下２６のダウンライト５０Ｂ、ＷＩＣ２４のダウンライト５０Ａ、洗面室２８のダウンライト５０Ｃ、及びトイレ３６のダウンライト５４が点灯される。
【００６４】
さらに、ＷＩＣ２４の人検知センサ５６Ｂが居住者を検知すると、ＷＩＣ２４のダウンライト５０Ａ、廊下２６のダウンライト５０Ｂ、及び洗面室２８のダウンライト５０Ｃと共に、寝室１２の直付ライト４４が点灯される。
【００６５】
従って、居住者が、階段ホール３８から廊下２６、及びＷＩＣ２４を経て寝室１２へ移動する場合は勿論、階段ホール３８から廊下２６、洗面室２８、及びＷＩＣ２４を経て寝室１２へ移動する場合にも、居住者の移動に先立って照明空間の各々が照明される。また、居住者は、明るくなっている寝室１２に入室することができるので、ベッド１６への入床も容易となる。
【００６６】
なお、寝室１２の直付ライト４４（４４Ａ、４４Ｂ）を点灯する場合、色温度が電球色（橙色〜黄色程度。２７００ｋ（ケルビン）〜３０００ｋ）とすると共に、寝室１２の照度が５００lx（ルクス）以下（例えば、１００lx）の明るさ（照度）となるようにすることが好ましい。これにより、先の就寝者が寝室１２に入室する際に、寝室１２の内部が適正な明るさに照明される。特に、ＷＩＣ２４が照明されている状態で、寝室１２内が暗い場合、目が馴染まずに寝室１２内が暗闇となっているように感じることがあるが、寝室１２が適度な明るさとなるように照明されることにより、居住者は、寝室１２が暗く感じたり、明るすぎると感じたりすることがない。しかも先に入室する居住者は、適度な明るさでベッド１６に入床できると共に、寝室１２内が就寝を促す明るさ及び色温度とされることで、先の就寝者の就寝を促進できる。
【００６７】
また、先の就寝者に対する照明制御では、睡眠センサ５８により就寝者がベッド１６に入床したことを検出すると、直付ライト４４を減光（例えば、寝室１２の照度が９lx程度）し、就寝者の入眠が検出されると消灯する。これにより、就寝者は速やかに入眠できる。更に、１人目の就寝者がベッド１６で就寝している状態で寝室１２のフットライト４８を点灯させる場合、就寝者が入床しているベッド１６とは反対側のベッド１６側のフットライト４８を点灯させるようにしても良い。これにより、就寝者がいるベッド１６側が不必要に明るくなるのを抑制できる。また、点灯した寝室１２のフットライト４８は、入床した就寝者の睡眠状態に合わせ、例えば、睡眠センサ５８により就寝者が入眠したことを検知して消灯すれば良い。
【００６８】
これに対して、寝室１２のベッド１６の何れかに就寝者がいる場合、コントローラ４２は、点灯する照明器具としてフットライト４８（４８Ａ、４８Ｂ）、５２（５２Ａ〜５２Ｃ）を設定する。これにより、居住者が寝室１２へ移動する場合に、居住者の足元を照明することができるので、居住者がスムーズに寝室１２へ移動することができる。また、居住者が寝室１２へ入るために扉２０Ａ、２０Ｂを開けても、ＷＩＣ２４の明かりが寝室１２内に入り込むのが抑えられるので、ベッド１６に入床している就寝者の睡眠が妨げられるのを防止できる。
【００６９】
一方、就寝者が睡眠途中で目覚めた場合（中途覚醒）、コントローラ４２は、中途覚醒した就寝者側のフットライト４８（フットライト４８Ａ又はフットライト４８Ｂ）を点灯する。これにより、寝室１２内が真っ暗になるのを抑制できるので、中途覚醒した就寝者が安心して再入眠可能となる。
【００７０】
また、中途覚醒した就寝者がトイレ３６に行くために扉２０Ａ（又は扉２０Ｂ）を開くことで、人検知センサ５６Ｂに中途覚醒した就寝者が検知される。これにより、コントローラ４２は、ＷＩＣ２４のフットライト５２Ａと共に、廊下２６のフットライト５２Ｂ及び洗面室２８のフットライト５２Ｃを点灯させる。また、中途覚醒した就寝者が廊下２６の人検知センサ５６Ｂにより検知されると、コントローラ４２は、トイレ３６のダウンライト５４を点灯させる。これにより、中途覚醒した就寝者がスムーズにトイレ３６に入室できる。
【００７１】
なお、コントローラ４２は、ダウンライト５４の出力を抑えた状態で点灯させ、人検知センサ５６Ｅによりトイレ３６に入室した就寝者を検知すると、出力を徐々に上げて明るくすることが好ましい。これにより、トイレ３６内が徐々に明るくなるので、トイレ３６に入った就寝者が急に明るくなってしまうことにより目が眩んでしまうのを防止できる。また、就寝者がトイレ３６から出て戻る際には、フットライト５２Ａ〜５２Ｃ及びフットライト４８が点灯されるので、トイレ３６から出た就寝者は、スムーズに寝室１２に戻ってベッド１６に入床できる。
【００７２】
ここで、起床時刻となって最初の就寝者が目覚める場合、コントローラ４２は、フットライト４８を点灯させるが、最後（２人目）の就寝者が目覚めて離床すると、人検知センサ５６Ａが離床した就寝者（居住者）を検知する。これにより、コントローラ４２は、寝室１２の直付ライト４４を点灯すると共に、ＷＩＣ２４のダウンライト５０Ａを点灯するので、寝室１２内及びＷＩＣ２４内が明るくなる。
【００７３】
ところで、照明システム４０では、６個の人検知センサ５６（５６Ａ〜５６Ｆ）の各々が居住者を検知しているか否か、及び２台の睡眠センサ５８（５８Ａ、５８Ｂ）の各々が入床を検出しているか否かを判定している。このために、人検知センサ５６の検出結果及び睡眠センサ５８の判定結果の組み合わせは、２６×２２＝２５６となり、コントローラ４２のＣＰＵは、判定結果の組み合わせの各々に対応する演算処理を行うことになる。
【００７４】
ここで、コントローラ４２は、人検知センサ５６Ａ、５６Ｆ以外の人検知センサ５６（５６Ｂ〜５６Ｅ）が居住者を検知している場合、階段ホール３８に設けている人検知センサ５６Ａの検知を省略している。また、コントローラ４２は、睡眠センサ５８Ａ、５８Ｂの少なくとも一方が入床者を検知している場合、寝室１２に設けている人検知センサ５６Ａによる検知を省略している。即ち、コントローラ４２は、人検知センサ５６Ｂ〜５６Ｅの何れかが居住者を検知している場合に、人検知センサ５６Ｆの検知を不要として無視し、睡眠センサ５８Ａ、５８Ｂが就寝者を検知している場合に、人検知センサ５６Ａの検知を不要として無視する。
【００７５】
これにより、人検知センサ５６Ａ〜５６Ｆの検知結果と睡眠センサ５８Ａ、５８Ｂの検知結果の組み合わせは、図６、図７（Ａ）〜図７（Ｃ）に示すようになる。なお、図６には、睡眠センサ５８Ａ、５８Ｂの何れも入床している就寝者を検知していない（ＯＦＦ）の場合を示している。また、図７（Ａ）は、ベッド１６Ａの睡眠センサ５８Ａ（ベッドＡで示す）が入床している就寝者を検知し（ＯＮ）、ベッド１６Ｂの睡眠センサ５８Ｂ（ベッドＢで示す）が入床している就寝者を検知していない場合を示している。さらに、図７（Ｂ）は、睡眠センサ５８Ａが入床している就寝者を検知しておらず、睡眠センサ５８Ｂが入床している就寝者を検知していない場合を示し、図７（Ｃ）は、睡眠センサ５８Ａ、５８Ｂの各々が入床している就寝者を検知している場合を示している。また、図６、図７（Ａ）〜図７（Ｃ）では、上から順に居住者を検知している人検知センサを１個から順に増加させて示している。さらに、図６、図７（Ａ）〜図７（Ｃ）における＊印は、検知を省略していることを示している。
【００７６】
図６、図７（Ａ）〜図７（Ｃ）に示すように、人検知センサ５６Ｂ〜５６Ｅが居住者を検出している場合に、人検知センサ５６Ｆによる検知を省略し、睡眠センサ５８Ａ、５８Ｂの少なくとも一方が入床している就寝者を検知している場合に、人検知センサ５６Ａによる検知を省略することで、検知結果の組み合わせは８５となる。これにより、コントローラ４２に設けているＣＰＵに要求される演算処理が削減される。
【００７７】
従って、コントローラ４２は、人検知センサ５６Ａ〜５６Ｆを設けた場合に、ＣＰＵの処理負荷が増加するのを抑制できる。また、睡眠センサ５８Ａ、５８Ｂの検知結果は、いずれも就寝者の入床を検知していないか、睡眠センサ５８Ａ、５８Ｂの少なくとも一方が入床している就寝者を検知しているか否かであるので、睡眠センサ５８Ａ、５８Ｂをひとつに見做せば、ＣＰＵの処理負荷の増加を更に抑制できる。これにより、コントローラ４２は、人検知センサ５６Ａ〜５６Ｂ、及び睡眠センサ５８Ａ、５８Ｂの検知結果を用いる場合の制御を簡素化できる。
【００７８】
また、照明システム４０では、居住者の移動に先立って照明器具を点灯するので、居住者が前の見にくい暗い空間を移動することになるのを防止できる。また、照明システム４０では、居住者の居る照明空間と共にその照明空間に隣接する周囲の照明空間の照明器具も点灯するので、居住者が何れの方向に移動しても、移動先を的確に明るくできる。
【００７９】
さらに、照明システム４０では、寝室１２に就寝者が居る場合、及び就寝者が中途覚醒した場合に、足元照明器具（フットライト４８、５２）を点灯するので、照明器具の明かりが就寝者の睡眠を妨げるのを防止できると共に、中途覚醒した就寝者が眩しく不快に感じるのを防止できる。
【００８０】
また、照明システム４０では、複数の照明器具及び複数の人検知センサ５６（５６Ａ〜５６Ｆ）の各々が、一つのコントローラ４２に接続されており、コントローラ４２により複数の照明器具の各々の点灯が、人検知センサ５６の検知結果に基づいて制御される。このたえ、例えば、点灯パターンなどを変更する場合、コントローラ４２が実行するプログラムやコントローラ４２に記憶される点灯パターンを変更すれば良いので、信号配線を変更するなどの作業が不要となる。
【００８１】
なお、本実施の形態では、入口空間である階段ホール３８の照明器具を省略したが、階段ホール３８に照明器具を設けて、階段ホール３８の照明器具を含めて点灯制御を行っても良い。この場合、階段ホール３８の照明器具は、階段ホール３８の人検知センサ５６Ｆが居住者を検知した場合、及び廊下２６の人検知センサ５６Ｃが居住者を検知した場合に点灯されれば良い。また、階段ホール３８に設ける照明器具としては、階段ホール３８を照明する照明器具と床面を照明する足元照明器具とが設けられることが好ましい。
【００８２】
また、本実施の形態では、就寝空間としての寝室１２、ＷＩＣ２４、廊下２６、洗面室２８及びトイレ３６に入口空間としての階段ホール３８が配列された住宅１０を例に説明したが、照明空間の配列はこれに限るものではない。照明空間は、就寝空間と入口空間との間に複数が設けられた任意の配列を適用することができる。
【符号の説明】
【００８３】
１０    住宅
１２    寝室（照明空間、就寝空間）
１６（１６Ａ、１６Ｂ）    ベッド（寝台）
２４    ＷＩＣ（照明空間）
２６    廊下（照明空間）
２８    洗面室（照明空間）
３６    トイレ（照明空間）
３８    階段ホール（入口空間、照明空間）
４０    照明システム
４２    コントローラ（点灯制御手段）
４４（４４Ａ、４４Ｂ）    直付ライト（照明器具）
４８（４８Ａ、４８Ｂ）、５２（５２Ａ〜５２Ｃ）    フットライト（照明器具、足元照明器具）
５０（５０Ａ〜５０）、５４    ダウンライト（照明器具）
５６（５６Ａ〜５６Ｆ）    人検知センサ（人検知手段）
５８（５８Ａ、５８Ｂ）    睡眠センサ（睡眠状態検出手段）
【図１】
2018022566.tif 000003
【図２】
2018022566.tif 000004
【図３】
2018022566.tif 000005
【図４】
2018022566.tif 000006
【図５】
2018022566.tif 000007
【図６】
2018022566.tif 000008
【図７】
2018022566.tif 000009